(57)【特許請求の範囲】
【請求項１】
端末とサーバ装置とに通信可能な画像処理装置であって、
原稿を読み取ることにより画像データを取得する読取部と、
前記画像データを記憶する記憶部と、
前記画像データを保存する保存先を受け付ける保存先受付部と、
前記画像データを識別する識別情報と、前記記憶部に記憶された前記画像データの記憶場所を示す内部記憶情報と、前記サーバ装置に記憶される前記画像データの記憶場所を示す外部記憶情報と、を関連付けて関連情報として保持するデータ保持部と、
前記識別情報を少なくとも１つ表示し、前記端末に送信する前記画像データの指示を受け付ける表示部と、
前記サーバ装置と、前記関連情報を所定のタイミングで同期し、同期された前記関連情報に基づいて、前記記憶部に前記画像データの追加を行う同期部と、
前記画像データを前記端末に送信する通信部と、を備え、
指示された前記識別情報に関連付けられた前記内部記憶情報が示す前記記憶部の記憶場所に前記画像データが記憶されている場合、前記通信部は、前記記憶部に記憶された前記画像データを前記端末に送信し、
指示された前記識別情報に関連付けられた前記内部記憶情報が示す前記記憶部の記憶場所に前記画像データが記憶されていない場合、前記保存先受付部は前記所定のタイミングに関わらず、指示された前記識別情報に関連付けられた前記外部記憶情報が示す前記サーバ装置の記憶場所から、前記画像データを取得し、前記通信部は、前記画像データを前記端末に送信する
画像処理装置。
【請求項２】
前記画像処理装置は前記サーバ装置と接続され、
前記表示部は、前記画像データの保存先として前記サーバ装置を表示し、
前記通信部は、前記表示部で指示された前記サーバ装置に前記画像データを送信する
請求項１に記載の画像処理装置。
【請求項３】
前記端末から前記画像処理装置に接続するために必要な接続情報を前記表示部に表示するデバイス連携部を更に備え、
前記通信部は前記接続情報に基づく通信により前記端末に前記画像データを送信する
請求項１又は２に記載の画像処理装置。
【請求項４】
前記デバイス連携部は、前記接続情報をＮＦＣ（Ｎｅａｒ  Ｆｉｅｌｄ  Ｃｏｍｍｕｎｉｃａｔｉｏｎ）により前記端末に送信し、
前記通信部は前記接続情報に基づく通信により前記端末に前記画像データを送信する
請求項３に記載の画像処理装置。
【請求項５】
前記記憶部は、前記画像データを一時的に記憶することを特徴とする
請求項１乃至４のいずれか１項に記載の画像処理装置。
【請求項６】
端末とサーバ装置とに通信可能な画像処理装置の画像処理方法であって、
読取部が、原稿を読み取ることにより画像データを取得するステップと、
記憶部が、前記画像データを記憶するステップと、
保存先受付部が、保存する保存先を受け付けるステップと、
データ保持部が、前記画像データを識別する識別情報と、前記記憶部に記憶された前記画像データの記憶場所を示す内部記憶情報と、前記サーバ装置に記憶される前記画像データの記憶場所を示す外部記憶情報と、を関連付けて関連情報として保持するステップと、
表示部が、前記識別情報を少なくとも１つ表示し、前記端末に送信する前記画像データの指示を受け付けるステップと、
同期部が、前記サーバ装置と、前記関連情報を所定のタイミングで同期し、同期された前記関連情報に基づいて、前記記憶部に前記画像データの追加を行うステップと、
通信部が、前記画像データを前記端末に送信するステップと、
指示された前記識別情報に関連付けられた前記内部記憶情報が示す前記記憶部の記憶場所に前記画像データが記憶されている場合、前記通信部が、前記記憶部に記憶された前記画像データを前記端末に送信するステップと、
指示された前記識別情報に関連付けられた前記内部記憶情報が示す前記記憶部の記憶場所に前記画像データが記憶されていない場合、前記保存先受付部が、前記所定のタイミングに関わらず、指示された前記識別情報に関連付けられた前記外部記憶情報が示す前記サーバ装置の記憶場所から、前記画像データを取得し、前記通信部が、前記画像データを前記端末に送信するステップと、
を含む画像処理方法。
【請求項７】
端末とサーバ装置とに通信可能であり、原稿を読み取ることにより画像データを取得する読取部と、前記画像データを記憶する記憶部と、前記画像データを識別する識別情報を少なくとも１つ表示し、前記端末に送信する前記画像データの指示を受け付ける表示部と、を備える画像処理装置を、
前記画像データを保存する保存先を受け付ける保存先受付部と、
前記識別情報と、前記記憶部に記憶された前記画像データの記憶場所を示す内部記憶情報と、前記サーバ装置に記憶される前記画像データの記憶場所を示す外部記憶情報と、を関連付けて関連情報として保持するデータ保持部と、
前記サーバ装置と、前記関連情報を所定のタイミングで同期し、同期された前記関連情報に基づいて、前記記憶部に前記画像データの追加を行う同期部と、
前記画像データを前記端末に送信する通信部として機能させ、
指示された前記識別情報に関連付けられた前記内部記憶情報が示す前記記憶部の記憶場所に前記画像データが記憶されている場合、前記通信部は、前記記憶部に記憶された前記画像データを前記端末に送信し、
指示された前記識別情報に関連付けられた前記内部記憶情報が示す前記記憶部の記憶場所に前記画像データが記憶されていない場合、前記保存先受付部は前記所定のタイミングに関わらず、指示された前記識別情報に関連付けられた前記外部記憶情報が示す前記サーバ装置の記憶場所から、前記画像データを取得し、前記通信部は、前記画像データを前記端末に送信する
プログラム。
【発明の詳細な説明】
【技術分野】
【０００１】
本発明は画像処理装置、画像処理方法及びプログラムに関する。
【背景技術】
【０００２】
ＭＦＰ（ＭｕｌｔｉＦｕｎｃｔｉｏｎ  Ｐｒｉｎｔｅｒ）等の画像処理装置が原稿を読み取ることにより取得した画像データを、当該画像処理装置が直接、他のコンピュータに記憶する技術が知られている。例えばＭＦＰがクラウドシステム上のサーバ装置の記憶領域に、ＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）等のプロトコルを使用して直接、画像データを記憶する技術が知られている。
【０００３】
特許文献１には、画像処理装置からクラウドサービスに画像データを送信することにより、画像データを特定のユーザに適切に配布する発明が開示されている。
【発明の概要】
【発明が解決しようとする課題】
【０００４】
しかしながら画像処理装置がサーバ装置に記憶した画像データを、端末がサーバ装置に接続することにより取得すると、当該画像データが端末で表示されるまでに時間がかかる場合があるという問題があった。
【０００５】
本発明は、上記に鑑みてなされたものであって、画像処理装置により取得され、サーバ装置に記憶された画像データを、端末に表示させることができる画像処理装置、画像処理方法及びプログラムを提供することを目的とする。
【課題を解決するための手段】
【０００６】
上述した課題を解決し、目的を達成するために、本発明は、端末とサーバ装置とに通信可能な画像処理装置であって、原稿を読み取ることにより画像データを取得する読取部と、前記画像データを記憶する記憶部と、前記画像データを保存する保存先を受け付ける保存先受付部と、前記画像データを識別する識別情報と、前記記憶部に記憶された前記画像データの記憶場所を示す内部記憶情報と、前記サーバ装置に記憶される前記画像データの記憶場所を示す外部記憶情報と、を関連付けて関連情報として保持するデータ保持部と、前記識別情報を少なくとも１つ表示し、前記端末に送信する前記画像データの指示を受け付ける表示部と、前記サーバ装置と、前記関連情報を所定のタイミングで同期し、同期された前記関連情報に基づいて、前記記憶部に前記画像データの追加を行う同期部と、前記画像データを前記端末に送信する通信部と、を備え、指示された前記識別情報に関連付けられた前記内部記憶情報が示す前記記憶部の記憶場所に前記画像データが記憶されている場合、前記通信部は、前記記憶部に記憶された前記画像データを前記端末に送信し、指示された前記識別情報に関連付けられた前記内部記憶情報が示す前記記憶部の記憶場所に前記画像データが記憶されていない場合、前記保存先受付部は前記所定のタイミングに関わらず、指示された前記識別情報に関連付けられた前記外部記憶情報が示す前記サーバ装置の記憶場所から、前記画像データを取得し、前記通信部は、前記画像データを前記端末に送信する。
【発明の効果】
【０００７】
本発明によれば、画像処理装置により取得され、サーバ装置に記憶された画像データを、端末に表示させることができるという効果を奏する。
【図面の簡単な説明】
【０００８】
【図１】図１は実施形態の画像処理システムの構成の例を示す図である。
【図２】図２は実施形態の画像処理装置の表示部及び入力部の例（メニュー画面の表示例）を示す図である。
【図３】図３は実施形態の画像処理装置が表示する保存先選択画面の表示例を示す図である。
【図４】図４は実施形態の画像処理装置が表示するログイン画面の表示例を示す図である。
【図５】図５は実施形態の画像処理装置が表示するスキャン実行画面の表示例を示す図である。
【図６】図６は実施形態のデータ保持部が保持するインデックス情報の例を示す図である。
【図７】図７は実施形態の画像処理装置のハードウェア構成の例を示す図である。
【図８】図８は実施形態の画像処理装置のソフトウェア構成の例を示す図である。
【図９】図９は実施形態の画像処理方法の例を示すフローチャートである。
【図１０】図１０は実施形態の画像処理装置が表示する端末連携画面の表示例を示す図である。
【図１１】図１１は実施形態の画像処理装置が表示するファイル選択画面の表示例を示す図である。
【図１２】図１２は実施形態の画像処理装置が表示する接続情報画面の表示例を示す図である。
【図１３】図１３は実施形態の端末が表示するネットワーク設定画面の表示例を示す図である。
【図１４】図１４は実施形態の端末が表示するネットワーク設定画面の表示例を示す図である。
【図１５】図１５は実施形態の端末が表示するファイル表示画面の表示例を示す図である。
【図１６】図１６は実施形態の端末が表示する表示履歴画面の表示例を示す図である。
【図１７】図１７は実施形態の端末が表示するＮＦＣ接続画面の表示例を示す図である。
【発明を実施するための形態】
【０００９】
以下に添付図面を参照して、画像処理装置、画像処理方法及びプログラムの実施形態を詳細に説明する。
【００１０】
図１は実施形態の画像処理システム２００の構成の例を示す図である。実施形態の画像処理システム２００は、画像処理装置１００、サーバ装置１５０及び端末１６０を備える。画像処理装置１００とサーバ装置１５０とは、ネットワーク１４０及びネットワーク１４１を介して接続される。
【００１１】
画像処理装置１００は通信部１３０又は通信部１３１によりネットワーク１４０に接続する。通信部１３０はネットワーク１４０に有線接続する。通信部１３０は、例えばイーサネット（登録商標）又は電話回線等を使用して通信する。通信部１３１はネットワーク１４０に無線接続する。ネットワーク１４０は、例えばＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）である。ネットワーク１４１は、例えばインターネット又は公衆電話回線等である。
【００１２】
また画像処理装置１００と端末１６０とは、２種類の通信方式により接続可能である。画像処理装置１００の通信部１３１と端末１６０の通信部１６１との通信方式は、例えばＷｉ−Ｆｉ（登録商標）等の無線ＬＡＮ方式である。無線ＬＡＮの通信方式は、例えばインフラストラクチャモードやＷｉ−Ｆｉ  Ｄｉｒｅｃｔ（登録商標）モードである。また画像処理装置１００の通信部１３２と端末１６０の通信部１６２との通信方式は、例えばＮＦＣ（Ｎｅａｒ  Ｆｉｅｌｄ  Ｃｏｍｍｕｎｉｃａｔｉｏｎ）である。
【００１３】
上述の画像処理装置１００、サーバ装置１５０及び端末１６０の具体例について説明する。画像処理装置１００は、例えばＭＦＰである。サーバ装置１５０は、例えばクラウドシステム上のコンピュータである。なおサーバ装置１５０はインターネット等のネットワーク１４１を介さずにＬＡＮ等のネットワーク１４０に接続されているコンピュータでもよい。端末１６０は、例えばスマートフォンやタブレット型端末である。なお画像処理システム２００を構成する画像処理装置１００、サーバ装置１５０及び端末１６０の台数は任意でよい。
【００１４】
以下、画像処理装置１００、サーバ装置１５０及び端末１６０の機能構成について説明する。まず画像処理装置１００について説明する。画像処理装置１００は、操作部１１０、本体部１２０、通信部１３０、通信部１３１及び通信部１３２を備える。通信部１３０、通信部１３１及び通信部１３２については上述の説明の通りである。
【００１５】
操作部１１０は、表示部１１１、入力部１１２、画像処理部１１３、通信制御部１１４、保存先受付部１１５、設定記憶部１１６、データ保持部１１７、デバイス連携部１１８及び接続部１１９を備える。
【００１６】
表示部１１１はユーザの操作入力の受け付けと、情報の表示とを兼ねたタッチパネルである。入力部１１２はユーザの操作入力を受け付けるボタンである。
【００１７】
図２は実施形態の画像処理装置１００の表示部１１１及び入力部１１２の例（メニュー画面の表示例）を示す図である。また図２の例では、表示部１１１にメニュー画面の例が表示されている。
【００１８】
図１に戻り、画像処理部１１３は本体部１２０の読取部１２２等により取得された画像データを画像処理することにより、当該画像データを所定のデータ形式の画像ファイルや文書ファイルに変換する。所定のデータ形式の画像ファイルは、例えばＴＩＦＦファイルやＪＰＥＧファイル等である。所定のデータ形式の文書ファイルは、例えばＰＤＦ（登録商標）ファイル等である。画像処理部１１３は、後述の設定記憶部１１６の設定情報に応じて画像データを所定のデータ形式に変換する。
【００１９】
通信制御部１１４は、画像処理装置１００が読取部１２２及び画像処理部１１３等により取得したデータ（画像ファイルや文書ファイル等）を記憶するサーバ装置１５０に接続（ログイン）するための制御を行う。
【００２０】
通信制御部１１４の動作について、読取部１２２により読み取られた画像データをサーバ装置１５０に記憶する場合を例にして説明する。まずメニュー画面（図２参照）から「スキャナー」を選択するタッチ操作を表示部１１１が受け付けると、通信制御部１１４は読取部１２２により取得される画像データを所定のデータ形式で記憶する場所の候補を表示部１１１に表示する。所定のデータ形式は、画像処理装置１００に記憶されている設定情報に基づいて決定される。なお当該設定情報は、ユーザの入力操作により適宜変更することができる。
【００２１】
図３は実施形態の画像処理装置１００が表示する保存先選択画面の表示例を示す図である。図３の例では、データを記憶する場所の候補として、「Ｒ  Ｃｌｏｕｄ  Ｓｅｒｖｅｒ」、「ＡＢＣ  Ｃｌｏｕｄ」、「ＸＹＺ  Ｄｒｉｖｅ」及び「Ｌｏｃａｌ  ＨＤＤ」を表示する場合の例である。「Ｒ  Ｃｌｏｕｄ  Ｓｅｒｖｅｒ」はサーバ装置１５０に対応する。「ＡＢＣ  Ｃｌｏｕｄ」及び「ＸＹＺ  Ｄｒｉｖｅ」は図１では図示されていないクラウドシステム上のサーバ装置に対応する。「Ｌｏｃａｌ  ＨＤＤ」は本体部１２０の画像記憶部１２５に対応する。
【００２２】
通信制御部１１４は、表示部１１１のタッチ操作により保存先として外部の装置（サーバ装置１５０等）が選択されたときに、選択された保存先のログイン画面を表示する。
【００２３】
図４は実施形態の画像処理装置１００が表示するログイン画面の表示例を示す図である。図４の例は、「Ｒ  Ｃｌｏｕｄ  Ｓｅｒｖｅｒ」が選択された場合のログイン画面を示す。通信制御部１１４は、表示部１１１又は入力部１１２により受け付けられたログイン情報（ログインＩＤ及びパスワード等）を、通信部１３０又は通信部１３１を介してサーバ装置１５０に送信する。通信制御部１１４は、サーバ装置１５０（認証部１５１）による認証が成功した場合、表示部１１１にスキャン実行画面を表示する。
【００２４】
図５は実施形態の画像処理装置１００が表示するスキャン実行画面の表示例を示す図である。ユーザにより画像処理装置１００に原稿が置かれ、入力部１１２がスタートボタンの押下を受け付けると、読取部１２２は原稿の読み取りを実行し、画像データを取得する。読取部１２２は取得した画像データを操作部１１０の画像処理部１１３に送信する。
【００２５】
図１に戻り、また通信制御部１１４は、図３の保存先選択画面で外部の装置（サーバ装置１５０）が選択された場合、選択された保存先の場所を示す情報（ＵＲＬ等）を保存先受付部１１５に入力する。
【００２６】
保存先受付部１１５は、図３の保存先選択画面で外部の装置（サーバ装置１５０）が選択された場合、通信制御部１１４から保存先の場所を示す情報（ＵＲＬ等）を受信する。また保存先受付部１１５は画像ファイルや文書ファイル等に変換されたデータを画像処理部１１３から受け付ける。そして保存先受付部１１５はネットワーク１４０及びネットワーク１４１を介して接続されたサーバ装置１５０に任意のプロトコルを使用してデータ（画像ファイルや文書ファイル等）を記憶する。任意のプロトコルは、例えばＷｅｂＤＡＶである。
【００２７】
また保存先受付部１１５は画像処理部１１３から受信したデータ（画像ファイルや文書ファイル等）を本体部１２０の画像記憶部１２５にも記憶する。保存先受付部１１５は本体部１２０の画像記憶部１２５の保存場所を示す情報（ファイルパス等）と、外部の装置の保存場所を示す情報（ＵＲＬ等）と、をデータ保持部１１７に入力する。
【００２８】
設定記憶部１１６は操作部１１０の設定情報を記憶する。設定情報は、例えば図３の保存先選択画面に表示される保存先の候補や、読取部１２２が読み取った画像データを保存するデータ形式（画像処理部１１３が画像データを画像処理することにより変換するデータ形式）である。なお設定情報として、保存先のサーバ装置のログインＩＤやパスワード等の認証情報を記憶し、ログイン時のユーザの操作入力を省略できるようにしてもよい。
【００２９】
データ保持部１１７は保存先受付部１１５から、本体部１２０の画像記憶部１２５の保存場所を示す情報（ファイルパス等）と、外部の装置の保存場所を示す情報（ＵＲＬ等）と、を受け付ける。データ保持部１１７はファイルパスと、ＵＲＬとを関連付けることにより、本体部１２０の画像記憶部１２５に記憶されているデータ（画像ファイルや文書ファイル等）と、サーバ装置１５０の記憶部１５３に記憶されているデータと、を関連付ける。本体部１２０の画像記憶部１２５に記憶されているデータは、読取部１２２が読み取った画像データを、画像処理部１１３が画像処理することにより生成された所定のファイル形式のデータである。またサーバ装置１５０の記憶部１５３に記憶されている画像データは、画像処理装置１００の保存先受付部１１５により記憶された画像データである。データ保持部１１７は画像記憶部１２５のデータと、外部の装置に記憶したデータと、を関連付けた情報をインデックス情報（関連情報に相当）として所定のデータ形式により保持する。所定のデータ形式は、例えばＪＳＯＮ構造のデータ形式である。
【００３０】
図６は実施形態のデータ保持部１１７が保持するインデックス情報の例を示す図である。図６の例は、インデックス情報をＪＳＯＮ構造のテキスト形式で保持する場合である。「ｆｉｌｅ：」は表示部１１１に表示されるファイル名（識別情報に相当）であり、表示部１１１又は入力部１１２により受け付けたユーザの操作入力により決定する。「ＵＲＬ：」は外部の装置の保存場所（外部記憶情報に相当）を示す。「ｐａｔｈ：」は本体部１２０の画像記憶部１２５の保存場所（内部記憶情報に相当）を示す。図６のデータ形式は、データ保持部１１７により容易に検索、追加、変更又は削除が可能である。なおデータ保持部１１７の検索速度を上げるために、インデックス情報をＳＱＬで問い合わせ可能なデータ形式にしてもよい。なお「ＵＲＬ：」及び「ｐａｔｈ：」のファイル名は保存先受付部１１５により一意に割り振られるが、ユーザがスキャン時に表示部１１１又は入力部１１２によりファイル名を変更することもできる。また図６のインデックス情報に、ファイルのユーザを識別する情報（「ＵＳＥＲ：」等）を追加し、当該ファイルの権限を有するユーザを識別できるようにしてもよい。またユーザ毎に図６のインデックス情報を用意してもよい。
【００３１】
またデータ保持部１１７は、外部の装置の記憶状態に合わせて、インデックス情報を定期的に同期する。例えば「ＵＲＬ：」で指定されたファイルがサーバ装置１５０の記憶部１５３から削除されている場合、データ保持部１１７は当該ファイルに対応する「ｆｉｌｅ：」、「ＵＲＬ：」及び「ｐａｔｈ：」の情報をインデックス情報から削除する。また例えば「ＵＲＬ：」で指定されたファイルがサーバ装置１５０の記憶部１５３に存在するが、画像処理装置１００の画像記憶部１２５に存在しない場合、データ保持部１１７がインデックス情報の「ＵＲＬ：」により記憶場所を特定し、保存先受付部１１５が当該ファイルをサーバ装置１５０からダウンロードすることによりインデックス情報の「ｐａｔｈ：」で示された記憶場所に記憶する。なおデータ保持部１１７がインデックス情報を同期するタイミングは、数時間、１日、１週間又は１か月等、任意でよい。
【００３２】
図１に戻り、デバイス連携部１１８は、通信部１３１（無線ＬＡＮ）及び通信部１３２（ＮＦＣ）を使用して端末１６０とデータを送受信するための制御を行う。当該データは、画像ファイル、文書ファイル及び接続情報等である。画像ファイル及び文書ファイルは、上述の読取部１２２等により読み取られた画像データを、画像処理部１１３が画像処理することにより生成したファイルである。また接続情報は、画像ファイル及び文書ファイルを、通信部１３１（無線ＬＡＮ）を介して送受信するために必要な情報である。具体的には、接続情報はＳＳＩＤ（Ｓｅｒｖｉｃｅ  Ｓｅｔ  ＩＤｅｎｔｉｆｉｅｒ）、暗号化方式、パスワード及び画像処理装置１００のＩＰアドレス等である。デバイス連携部１１８は通信部１３２（ＮＦＣ）を介して接続情報を端末１６０に送信し、通信部１３１（無線ＬＡＮ）を介してデータ（画像ファイルや文書ファイル等）を端末１６０に送信する。
【００３３】
接続部１１９は、本体部１２０の接続部１２６と接続され、操作部１１０と本体部１２０との間でデータを送受信する。
【００３４】
本体部１２０は、コントローラ１２１、読取部１２２、印刷部１２３、ＦＡＸ部１２４、画像記憶部１２５及び接続部１２６を備える。
【００３５】
コントローラ１２１は本体部１２０の印刷、読取及びＦＡＸ通信等の制御を行う。読取部１２２は原稿の読み取り（スキャン）を行う。印刷部１２３は原稿の印刷を行う。ＦＡＸ部１２４は通信部１３０を介して原稿をＦＡＸ送信するための処理を行う。
【００３６】
画像記憶部１２５は画像処理装置１００が読取部１２２等により取得した画像データを記憶する。画像記憶部１２５は画像処理装置１００の一時記憶領域であり、画像記憶部１２５の残容量が少なくなった等の場合には、保存先受付部１１５により例えば古いデータから順に削除される。すなわち画像記憶部１２５はユーザには公開されていない画像処理装置１００の内部記憶領域である。なお画像記憶部１２５を十分な記憶領域を有するＨＤＤ等で実現することにより、画像記憶部１２５を一時的な記憶領域とせずに永続的な記憶領域にしてもよい。画像記憶部１２５を永続的な記憶領域にする場合、上述のデータ保持部１１７は、外部の装置のデータの記憶状態ではなく、画像記憶部１２５のデータの記憶状態に合わせて上述のインデックス情報及びサーバ装置１５０の記憶部１５３を同期してもよい。
【００３７】
接続部１２６は、操作部１１０の接続部１１９と接続され、本体部１２０と操作部１１０との間でデータを送受信する。
【００３８】
次にサーバ装置１５０について説明する。サーバ装置１５０は、通信部１４２、認証部１５１、記憶制御部１５２及び記憶部１５３を備える。
【００３９】
通信部１４２は、ネットワーク１４０及びネットワーク１４１を介して画像処理装置１００の通信部１３０と接続されている。
【００４０】
認証部１５１は、ログインＩＤ及びパスワード等によってユーザの認証を行う。
【００４１】
記憶制御部１５２は記憶部１５３に記憶された画像ファイルや文書ファイル等の追加又は削除を行う。記憶制御部１５２は、例えば画像処理装置１００の保存先受付部１１５のネットワーク１４０及びネットワーク１４１を介した記憶制御に応じて動作する。
【００４２】
記憶部１５３はユーザのデータ（画像ファイルや文書ファイル等）を記憶する。
【００４３】
次に端末１６０について説明する。端末１６０は、通信部１６１、通信部１６２、表示部１６３、デバイス連携部１６４及び記憶部１６５を備える。
【００４４】
通信部１６１は、無線通信によりネットワーク１４０又はネットワーク１４１に接続する。
【００４５】
通信部１６２は、画像処理装置１００の通信部１３２と通信する。通信部１６２は、例えばＮＦＣである。
【００４６】
表示部１６３はユーザの操作入力の受け付けと、情報の表示とを兼ねたタッチパネルである。
【００４７】
デバイス連携部１６４は通信部１６２（ＮＦＣ）を使用して画像処理装置１００とデータを送受信するための制御を行う。当該データは、例えば通信部１６１（無線ＬＡＮ）により画像処理装置１００と通信するために必要な上述の接続情報である。またデバイス連携部１６４は通信部１６１を介して画像処理装置１００から受信したデータ（画像ファイルや文書ファイル等）を表示部１６３に表示する。またデバイス連携部１６４は、表示部１６３に表示したデータ（画像ファイルや文書ファイル等）の履歴を記憶部１６５に記憶する。このときデバイス連携部１６４は、セキュリティを考慮してデータ（画像ファイルや文書ファイル等）は記憶しない。なおセキュリティ上問題がなければ、画像処理装置１００から受信したデータを端末１６０に記憶できるようにしてもよい。
【００４８】
記憶部１６５は表示部１６３で表示したデータ（画像ファイルや文書ファイル等）の履歴を記憶する。
【００４９】
次に画像処理装置１００のハードウェア構成について説明する。図７は実施形態の画像処理装置１００のハードウェア構成の例を示す図である。
【００５０】
図７に示すように、画像処理装置１００は、操作部１１０と本体部１２０とを備える。操作部１１０は、ユーザの操作に応じた情報を受け付ける。なおユーザの操作に応じた情報は、例えば画面の座標値を示す信号等である。本体部１０は、コピー機能、スキャナー機能、ファクス機能、プリンタ機能等の各種の機能を実現する。
【００５１】
操作部１１０及び本体部１２０は、接続ＩＦ２６（図１の接続部１１９に対応）、専用の通信路３００及び接続ＩＦ１６（図１の接続部１２６に対応）を介して相互に通信可能に接続されている。通信路３００は、例えばＵＳＢ（Ｕｎｉｖｅｒｓａｌ  Ｓｅｒｉａｌ  Ｂｕｓ）規格を用いることができるが、有線か無線かを問わず任意の規格のものでもよい。
【００５２】
本体部１２０は、操作部１１０で受け付けた操作に応じた動作を行う。また、本体部１２０は、端末１６０及び図１では図示されていないクライアントＰＣ（パーソナルコンピュータ）等の外部装置とも通信可能であり、外部装置から受信した指示（印刷指示等）に応じた動作を行うこともできる。
【００５３】
まず本体部１２０のハードウェア構成について説明する。図７に示すように、本体部１２０は、ＣＰＵ１１、ＲＯＭ１２、ＲＡＭ１３、ＨＤＤ１４、通信ＩＦ１５、接続ＩＦ１６及びエンジン部１７を備える。ＣＰＵ１１、ＲＯＭ１２、ＲＡＭ１３、ＨＤＤ１４、通信ＩＦ１５、接続ＩＦ１６及びエンジン部１７はシステムバス１８を介して相互に接続されている。
【００５４】
ＣＰＵ１１は本体部１２０の動作を統括的に制御する。ＣＰＵ１１はＲＡＭ１３をワークエリア（作業領域）としてＲＯＭ１２又はＨＤＤ１４等に格納されたプログラムを実行することで、本体部１２０全体の動作を制御し、上述したコピー機能、スキャナー機能、ファクス機能、プリンタ機能等の各種機能を実現する。図１の画像記憶部１２５は、ＲＯＭ１２、ＲＡＭ１３及びＨＤＤ１４に対応する。
【００５５】
通信ＩＦ１５は、ネットワーク１４０と接続するためのインターフェースである。接続ＩＦ１６は、通信路３００を介して操作部１１０と通信するためのインターフェースである。
【００５６】
エンジン部１７はコピー機能、スキャナー機能、ファクス機能及びプリンタ機能を実現させるための、汎用的な情報処理及び通信以外の処理を行うハードウェアである。例えば、原稿の画像をスキャンして読み取るスキャナー（図１の読取部１２２に対応）、用紙等のシート材への印刷を行うプロッタ（図１の印刷部１２３に対応）、ファクス通信を行うＦＡＸ部（図１のＦＡＸ部１２４に対応）等を備えている。エンジン部１７は、更に、印刷済みシート材を仕分けるフィニッシャや、原稿を自動給送するＡＤＦ（自動原稿給送装置）のような特定のオプションを実現するためのハードウェアを備えていてもよい。
【００５７】
次に操作部１１０のハードウェア構成について説明する。図７に示すように、操作部１１０は、ＣＰＵ２１、ＲＯＭ２２、ＲＡＭ２３、フラッシュメモリ２４、通信ＩＦ２５、接続ＩＦ２６、ユーザＩＦ２７及び外部接続ＩＦ２８を備える。ＣＰＵ２１、ＲＯＭ２２、ＲＡＭ２３、フラッシュメモリ２４、通信ＩＦ２５、接続ＩＦ２６、ユーザＩＦ２７及び外部接続ＩＦ２８はシステムバス２９を介して相互に接続されている。
【００５８】
ＣＰＵ２１は操作部１１０の動作を統括的に制御する。ＣＰＵ２１はＲＡＭ２３をワークエリア（作業領域）としてＲＯＭ２２又はフラッシュメモリ２４等に格納されたプログラムを実行することで、操作部１１０全体の動作を制御し、ユーザから受け付けた入力に応じた情報（画像）の表示等を実現する。図１の設定記憶部１１６は、ＲＯＭ２２、ＲＡＭ２３及びフラッシュメモリ２４に対応する。
【００５９】
通信ＩＦ２５は、ネットワーク１４０と接続するためのインターフェースである。通信ＩＦ２５は、図１の通信部１３０及び通信部１３１に対応する。接続ＩＦ２６は、通信路３００を介して本体部１２０と通信するためのインターフェースである。
【００６０】
ユーザＩＦ２７は操作パネル（図１の表示部１１１に対応）及び入力装置（図１の入力部１１２に対応）である。操作パネルは、ユーザの操作に応じた各種の入力を受け付けるとともに、各種の情報（例えば受け付けた操作に応じた情報、画像処理装置１００の動作状況を示す情報、設定状態などを示す情報等）を表示する。操作パネルは、タッチパネル機能を搭載した液晶表示装置（ＬＣＤ）で構成されるが、液晶表示装置に限られるものではない。例えばタッチパネル機能が搭載された有機ＥＬ表示装置で構成されてもよい。入力装置は、ハードウェアキー（ボタン）である。なおユーザＩＦ２７として更にランプ等の表示部を備えてもよい。
【００６１】
外部接続ＩＦ２８は、上述のＮＦＣにより端末１６０と接続するためのインターフェースである。
【００６２】
次に画像処理装置１００のソフトウェア構成について説明する。図８は実施形態の画像処理装置１００のソフトウェア構成の例を示す図である。
【００６３】
図８に示すように、本体部１２０は、アプリ層１０１、サービス層１０２及びＯＳ層１０３を有する。アプリ層１０１、サービス層１０２及びＯＳ層１０３の実体は、ＲＯＭ１２やＨＤＤ１４等（図７参照）に格納されている各種ソフトウェアである。ＣＰＵ１１が、これらのソフトウェアを実行することにより、各種の機能が提供される。
【００６４】
アプリ層１０１のソフトウェアは、ハードウェア資源を動作させて所定の機能を提供するためのアプリケーションソフトウェア（以下の説明では、単に「アプリ」と称する場合がある）である。例えばアプリとしては、コピー機能を提供するためのコピーアプリ、スキャナー機能を提供するためのスキャナーアプリ、ファクス機能を提供するためのファクスアプリ、プリンタ機能を提供するためのプリンタアプリなどが挙げられる。
【００６５】
サービス層１０２のソフトウェアは、アプリ層１０１とＯＳ層１０３との間に介在し、アプリに対し、本体部１２０が備えるハードウェア資源を利用するためのインターフェースを提供するためのソフトウェアである。より具体的には、ハードウェア資源に対する動作要求の受付、動作要求の調停を行う機能を提供するためのソフトウェアである。サービス層１０２が受け付ける動作要求としては、スキャナーによる読み取りやプロッタによる印刷等の要求が考えられる。
【００６６】
なおサービス層１０２によるインターフェースの機能は、本体部１２０のアプリ層１０１だけではなく、操作部１１０のアプリ層２０１に対しても提供される。すなわち操作部１１０のアプリ層２０１（アプリ）も、サービス層１０２のインターフェース機能を介して、本体部１２０のハードウェア資源（例えば図７のエンジン部１７）を利用した機能を実現することができる。
【００６７】
ＯＳ層１０３のソフトウェアは、本体部１２０が備えるハードウェアを制御する基本機能を提供するための基本ソフトウェア（オペレーティングシステム）である。サービス層１０２のソフトウェアは、各種アプリからのハードウェア資源の利用要求を、ＯＳ層１０３が解釈可能なコマンドに変換してＯＳ層１０３に渡す。そして、ＯＳ層１０３のソフトウェアによりコマンドが実行されることで、ハードウェア資源は、アプリの要求に従った動作を行う。
【００６８】
同様に、操作部１１０は、アプリ層２０１、サービス層２０２及びＯＳ層２０３を有する。操作部１１０が備えるアプリ層２０１、サービス層２０２及びＯＳ層２０３も、階層構造については本体部１２０と同様である。ただしアプリ層２０１のアプリにより提供される機能や、サービス層２０２が受け付け可能な動作要求の種類は、本体部１２０とは異なる。アプリ層２０１のアプリは、操作部１１０が備えるハードウェア資源を動作させて所定の機能を提供するためのソフトウェアであってもよいが、主として本体部１２０が備える機能（コピー機能、スキャナー機能、ファクス機能及びプリンタ機能）に関する操作や表示を行うためのＵＩ（ユーザインターフェース）の機能を提供するためのソフトウェアである。
【００６９】
なお本実施形態では、機能の独立性を保つために、本体部１２０のＯＳ層１０３のソフトウェアと、操作部１１０のＯＳ層２０３のソフトウェアが互いに異なる。つまり本体部１２０と操作部１１０は、別々のオペレーティングシステムで互いに独立して動作する。例えば、本体部１２０のＯＳ層１０３のソフトウェアとしてＬｉｎｕｘ（登録商標）を用い、操作部１１０のＯＳ層２０３のソフトウェアとしてＡｎｄｒｏｉｄ（登録商標）を用いることが可能である。
【００７０】
以上のように、実施形態の画像処理装置１００において、本体部１２０と操作部１１０は別々のオペレーティングシステムで動作するため、本体部１２０と操作部１１０との間の通信は、共通の装置内のプロセス間通信ではなく、異なる装置間の通信として行われる。異なる装置間の通信の例は、操作部１１０が受け付けた情報（ユーザからの指示内容）を本体部１２０へ伝達する動作（コマンド通信）や、本体部１２０が操作部１１０へイベントを通知する動作等である。ここでは操作部１１０が本体部１２０へコマンド通信を行うことにより、本体部１２０の機能を使用することができる。また本体部１２０から操作部１１０に通知するイベントには、本体部１２０における動作の実行状況、本体部１２０で設定された情報等が挙げられる。
【００７１】
また実施形態では、操作部１１０への電力供給は、本体部１２０から通信路３００を経由して行われているが、操作部１１０の電源制御を、本体部１２０の電源制御とは別に（独立して）行ってもよい。
【００７２】
図１で説明した画像処理装置１００の各部の機能は、ＣＰＵ１１又はＣＰＵ２１が、記憶装置（ＲＯＭ１２、ＨＤＤ１４、ＲＯＭ２２又はフラッシュメモリ２４等）に格納されたプログラムを実行することにより実現されるが、これに限らず、例えば上記画像処理装置１００の各部の機能のうちの少なくとも一部が専用のハードウェア回路（例えば半導体集積回路等）で実現されてもよい。
【００７３】
また上述の実施形態では、本体部１２０と操作部１１０は、別々のオペレーティングシステムで互いに独立して動作しているが、これに限らず、例えば本体部１２０と操作部１１０が同じオペレーティングシステムで動作する形態であってもよい。
【００７４】
また上述した実施形態の画像処理装置１００で実行されるプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記録媒体に記録して提供するように構成してもよい。また当該プログラムをインターネット等のネットワーク経由で提供又は配布するように構成してもよい。また当該プログラムを、ＲＯＭ等の不揮発性の記録媒体に予め組み込んで提供するように構成してもよい。
【００７５】
次に実施形態の画像処理方法について説明する。図９は実施形態の画像処理方法の例を示すフローチャートである。図９の例は、読取部１２２が読み取った画像データをサーバ装置１５０に記憶する場合に、端末１６０に画像データを表示するまでの動作のフローを示す。
【００７６】
はじめに、表示部１１１がメニュー画面（図２参照）から「スキャナー」を選択するタッチ操作を受け付ける（ステップＳ１）。次に、通信制御部１１４が読取部１２２により取得される画像データを、所定のデータ形式で記憶する場所の候補（図３参照）を表示部１１１に表示する（ステップＳ２）。次に、表示部１１１が保存先の選択を受け付ける（ステップＳ３）。次に、表示部１１１が保存先のサーバ装置１５０に送信するログイン情報（ログインＩＤ及びパスワード等）を受け付ける画面（図４参照）を表示し、通信制御部１１４がログイン情報をサーバ装置１５０に送信する（ステップＳ４）。
【００７７】
次に、通信制御部１１４は保存先のサーバ装置１５０にログインできたか否かを判定する（ステップＳ５）。ログインできない場合（ステップＳ５、Ｎｏ）、処理はステップＳ２に戻る。ログインできた場合（ステップＳ５、Ｙｅｓ）、通信制御部１１４がスキャン実行画面（図５参照）を表示部１１１に表示し、読取部１２２がユーザにより設置された原稿を読み取ることにより画像データを取得する（ステップＳ６）。
【００７８】
次に、画像処理部１１３が画像データをＴＩＦＦ形式等の所定のデータ形式のファイルに変換する（ステップＳ７）。次に、保存先受付部１１５は画像処理部１１３から受信したデータ（画像ファイルや文書ファイル等）を画像処理装置１００の画像記憶部１２５に保存する（ステップＳ８）。次に、保存先受付部１１５はネットワーク１４０及びネットワーク１４１を介して接続されたサーバ装置１５０にデータ（画像ファイルや文書ファイル等）を保存する（ステップＳ９）。
【００７９】
次に、データ保持部１１７はインデックス情報（図６参照）により、ステップＳ８で画像記憶部１２５に記憶したデータのファイルパスと、ステップＳ９でサーバ装置１５０に記憶したデータのＵＲＬと、を関連付ける（ステップＳ１０）。なおインデックス情報の「ｆｉｌｅ：」は、例えば表示部１１１がファイル名を示す操作入力を受け付けたときに、データ保持部１１７により当該ファイル名が設定される。
【００８０】
次に、デバイス連携部１１８が端末連携画面を表示部１１１に表示し、表示部１１１がサーバ装置１５０に保存されたファイルを参照するか否かを示す入力を受け付ける（ステップＳ１１）。
【００８１】
図１０は実施形態の画像処理装置１００が表示する端末連携画面の表示例を示す図である。表示部１１１が「いいえ」の選択を受け付けた場合（ステップＳ１１、Ｎｏ）、処理は終了する。表示部１１１が「はい」の選択を受け付けた場合（ステップＳ１１、Ｙｅｓ）、デバイス連携部１１８はファイルの候補を示すファイル選択画面を表示部１１１に表示する（ステップＳ１２）。
【００８２】
図１１は実施形態の画像処理装置１００が表示するファイル選択画面の表示例を示す図である。デバイス連携部１１８は、ユーザがログイン中の外部装置（図９のフローの例ではサーバ装置１５０（「Ｒ  Ｃｌｏｕｄ  Ｓｅｒｖｅｒ」））のインデックス情報の「ｆｉｌｅ：」から取得したファイル名をファイル選択画面に表示する。
【００８３】
図９に戻り、次に、表示部１１１はファイルの選択を示すユーザの操作入力を受け付ける（ステップＳ１３）。次に、データ保持部１１７はインデックス情報の「ｐａｔｈ：」を参照することにより、ステップＳ１３で選択されたファイルが画像処理装置１００の画像記憶部１２５に記憶されているか否かを判定する（ステップＳ１４）。
【００８４】
ファイルが画像処理装置１００の画像記憶部１２５に記憶されている場合（ステップＳ１４、Ｙｅｓ）、処理はステップＳ１６に進む。
【００８５】
ファイルが画像処理装置１００の画像記憶部１２５に記憶されていない場合（ステップＳ１４、Ｎｏ）、データ保持部１１７がインデックス情報の「ＵＲＬ：」により記憶場所を特定し、保存先受付部１１５がサーバ装置１５０から画像処理装置１００にファイルをダウンロード（取得）することにより画像記憶部１２５に当該ファイルを記憶する（ステップＳ１５）。
【００８６】
なおサーバ装置１５０にもステップＳ１３で選択されたファイルが記憶されていない場合、データ保持部１１７はファイルが存在しないことを示すエラーメッセージを表示部１１１に表示する。そしてデータ保持部１１７は当該ファイルに対応する「ｆｉｌｅ：」、「ＵＲＬ：」及び「ｐａｔｈ：」の情報をインデックス情報から削除する。
【００８７】
次に、デバイス連携部１１８が上述の接続情報を表示部１１１に表示する（ステップＳ１６）。
【００８８】
図１２は実施形態の画像処理装置１００が表示する接続情報画面の表示例を示す図である。図１２は、接続情報として、Ｗｉ−Ｆｉ  Ｄｉｒｅｃｔ（登録商標）ネットワークのＳＳＩＤ、暗号化方式、パスワード及び画像処理装置１００（ＭＦＰ）のＩＰアドレスを表示する接続情報画面の例である。なおデバイス連携部１１８はＳＳＩＤ、暗号化方式、パスワード及び画像処理装置１００（ＭＦＰ）のＩＰアドレスを、画像処理装置１００の設定記憶部１１６に予め登録されていた設定情報から取得することにより、表示部１１１に表示する。
【００８９】
またＷｉ−Ｆｉ  Ｄｉｒｅｃｔ（登録商標）はインフラストラクチャモードのＷｉ−Ｆｉ（登録商標）でも構わない。インフラストラクチャモードのＷｉ−Ｆｉ（登録商標）の場合、デバイス連携部１１８は、接続情報として、インフラストラクチャモードのＷｉ−Ｆｉ（登録商標）に接続するためのＳＳＩＤと暗号化方式、パスワードを表示部１１１に表示する。
【００９０】
図９に戻り、次に、端末１６０の表示部１６３が上述の接続情報の指定を示す操作入力を受け付ける（ステップＳ１７）。
【００９１】
図１３及び図１４は実施形態の端末１６０が表示するネットワーク設定画面の表示例を示す図である。図１３は端末１６０が接続可能なネットワークの一覧画面の例である。図１４は画像処理装置１００（ＭＦＰ）のＩＰアドレスの指定を受け付ける画面の例である。図１３の「ＭＦＰ００１」は画像処理装置１００のＷｉ−Ｆｉ  Ｄｉｒｅｃｔ（登録商標）ネットワークである。すなわち端末１６０の表示部１６３が上述の接続情報の指定を示す操作入力を受け付け、当該接続情報が「ＭＦＰ００１」として管理されている。端末１６０の表示部１６３が「ＭＦＰ００１」の選択を受け付けると、デバイス連携部１６４が通信部１６１を介して画像処理装置１００に接続する。画像処理装置１００の接続情報が「ＭＦＰ００１」として端末１６０で管理されることで、ネットワーク接続環境に変更がなければ、ユーザは接続情報の指定を示す操作入力を再度行わなくても画像処理装置１００に接続することができる。
【００９２】
なお図１３の「ＭＰＦ００２」は図１では図示されていない他の画像処理装置が構成するＷｉ−Ｆｉ  Ｄｉｒｅｃｔ（登録商標）ネットワークである。また「Ｃｏｒｐｏｒａｔｅ  Ｎｅｔｗｏｒｋ」はインフラストラクチャモードのＷｉ−Ｆｉ（登録商標）の例で、Ｗｉ−Ｆｉ  Ｄｉｒｅｃｔ（登録商標）ネットワークと同じように表示される。端末１６０のユーザはＷｉ−Ｆｉ  Ｄｉｒｅｃｔ（登録商標）ネットワークとインフラストラクチャモードのＷｉ−Ｆｉ（登録商標）ネットワークを特に意識する必要なく利用することができる。
【００９３】
図９に戻り、次に、画像処理装置１００のデバイス連携部１１８が端末１６０と接続されたことを確認する（ステップＳ１８）。次に、画像処理装置１００のデバイス連携部１１８はステップＳ１３で選択されたファイルを、通信部１３１を介して端末１６０に送信する（ステップＳ１９）。次に、端末１６０のデバイス連携部１６４が、ステップＳ１９で送信されたファイルを、通信部１６１を介して受信し、当該ファイルを表示部１６３に表示する（ステップＳ２０）。
【００９４】
図１５は実施形態の端末１６０が表示するファイル表示画面の表示例を示す図である。図１５のような画面によりユーザはサーバ装置１５０に記憶したデータ（画像ファイルや文書ファイル等）を速やかに確認することができる。具体的には、ファイルが画像処理装置１００の画像記憶部１２５に記憶されている場合（ステップＳ１４、Ｙｅｓ）、ユーザはサーバ装置１５０に記憶したデータ（画像ファイルや文書ファイル等）を最も速く確認することができる。なおファイルが画像処理装置１００の画像記憶部１２５に記憶されていない場合（ステップＳ１４、Ｎｏ）であっても、画像処理装置１００がサーバ装置１５０からファイルをダウンロードし、画像処理装置１００から端末１６０にファイルを送信することにより速やかにファイルを確認することができる。これは一般に端末１６０よりも、画像処理装置１００の方が、ネットワーク接続環境や処理性能が良いためである。
【００９５】
図９に戻り、端末１６０のデバイス連携部１６４はステップＳ２０で表示したファイルを、表示履歴情報として記憶部１６５に記憶する（ステップＳ２１）。なお表示履歴情報は、ユーザが後から参照することができる。すなわち表示部１６３が表示履歴情報の表示を示す操作入力を受け付けると、デバイス連携部１６４が当該表示履歴情報を表示部１６３に表示する。
【００９６】
図１６は実施形態の端末１６０が表示する表示履歴画面の表示例を示す図である。図１６の例では、ファイル名の下にはハイパーリンクが付いており、ハイパーリンクを選択すると端末１６０が接続しているネットワークを介してファイルをダウンロードして表示できる。具体的には、まずデバイス連携部１６４が画像処理装置１００と接続可能であるか否かを判定する。次に画像処理装置１００と接続可能である場合、デバイス連携部１６４が画像処理装置１００に当該ファイルの送信を依頼する。次にデバイス連携部１６４が画像処理装置１００から当該ファイルをダウンロードすることにより当該ファイルを表示部１６３に表示する。画像処理装置１００と接続可能な場合は、例えば端末１６０がＷｉ−Ｆｉ  Ｄｉｒｅｃｔ（登録商標）により画像処理装置１００と接続できる距離にあるときである。一方、画像処理装置１００と接続可能でない場合、端末１６０の通信部１６１は携帯電話網等からインターネットに接続し、サーバ装置１５０から直接ファイルをダウンロードすることにより当該ファイルを表示部１６３に表示する。
【００９７】
なお上述の図９のステップＳ１６の説明では、画像処理装置１００が接続情報を表示部１１１に表示する場合について説明した。しかしながら接続情報を通信部１３２（ＮＦＣ）により端末１６０に送信してもよい。具体的には、まず端末１６０のデバイス連携部１６４がＮＦＣ接続画面を表示部１６３に表示する。
【００９８】
図１７は実施形態の端末１６０が表示するＮＦＣ接続画面の表示例を示す図である。このＮＦＣ接続画面により端末１６０のデバイス連携部１６４は、端末１６０を画像処理装置１００（ＭＦＰ）にかざすことをユーザに促す。そしてユーザが画像処理装置１００の通信部１３２（ＮＦＣ）に端末１６０をかざすと、画像処理装置１００の通信部１３２（ＮＦＣ）は端末１６０を認識する。次に画像処理装置１００のデバイス連携部１１８はＷｉ−Ｆｉ（登録商標）のＳＳＩＤ、暗号化方式、パスワード及び画像処理装置１００（ＭＦＰ）のＩＰアドレス等の接続情報を通信部１３２及び通信部１６２を介して端末１６０に送信する。このようにして画像処理装置１００（ＭＦＰ）から端末１６０に接続情報を送信することにより、ユーザが端末１６０で接続情報を入力する手間を省くことができる。
【００９９】
以上説明したように、実施形態の画像処理装置１００では、保存先受付部１１５が読取部１２２及び画像処理部１１３により取得されたデータ（画像ファイルや文書ファイル等）を本体部１２０の画像記憶部１２５及びサーバ装置１５０の記憶部１５３に記憶する。そしてデータ保持部１１７が上述のインデックス情報（図６参照）により、画像処理装置１００の画像記憶部１２５のデータと、サーバ装置１５０の記憶部１５３のデータと、を関連付ける。表示部１１１が端末１６０で表示するデータの選択を示す操作入力を受け付けると、データ保持部１１７がインデックス情報を参照し、当該データが画像処理装置１００の画像記憶部１２５に存在するか否かを判定する。当該データが画像処理装置１００の画像記憶部１２５に存在する場合、通信部１３１が画像記憶部１２５のデータを端末１６０に送信する。これにより実施形態の画像処理装置１００によれば、画像処理装置１００と端末１６０とが通信可能な状態であれば、画像処理装置１００により取得され、サーバ装置１５０に記憶された画像データを、速やかに端末１６０に表示させることができる。
【符号の説明】
【０１００】
１００  画像処理装置
１１０  操作部
１１１  表示部
１１２  入力部
１１３  画像処理部
１１４  通信制御部
１１５  保存先受付部
１１６  設定記憶部
１１７  データ保持部
１１８  デバイス連携部
１１９  接続部
１２０  本体部
１２１  コントローラ
１２２  読取部
１２３  印刷部
１２４  ＦＡＸ部
１２５  画像記憶部
１２６  接続部
１３０  通信部
１３１  通信部
１３２  通信部
１４０  ネットワーク
１４１  ネットワーク
１４２  通信部
１５０  サーバ装置
１５１  認証部
１５２  記憶制御部
１５３  記憶部
１６０  端末
１６１  通信部
１６２  通信部
１６３  表示部
１６４  デバイス連携部
１６５  記憶部
２００  画像処理システム
【先行技術文献】
【特許文献】
【０１０１】
【特許文献１】特開２０１３−４２４８０号公報
【図１】
0006458367.tif 000002
【図２】
0006458367.tif 000003
【図３】
0006458367.tif 000004
【図４】
0006458367.tif 000005
【図５】
0006458367.tif 000006
【図６】
0006458367.tif 000007
【図７】
0006458367.tif 000008
【図８】
0006458367.tif 000009
【図９】
0006458367.tif 000010
【図１０】
0006458367.tif 000011
【図１１】
0006458367.tif 000012
【図１２】
0006458367.tif 000013
【図１３】
0006458367.tif 000014
【図１４】
0006458367.tif 000015
【図１５】
0006458367.tif 000016
【図１６】
0006458367.tif 000017
【図１７】
0006458367.tif 000018